(57)【要約】【課題】  操作した場合に、静寂を保ったまま、リモコン信号が確実に送出されたことを認識する。【解決手段】  リモコン装置１０は、信号の出力に応じて振動を発生する振動回路１４を含む。【選択図】        図１
2005079992.tif 000002
【特許請求の範囲】
【請求項１】
信号の出力に応じて振動を発生するための振動手段を含むリモコン装置。
【請求項２】
前記振動手段は、振動を発生する期間が、前記信号が出力される期間に応じて定められるように、振動を発生するための手段を含む、請求項１に記載のリモコン装置。
【請求項３】
前記振動手段は、振動を発生する期間が、前記信号が出力される期間に合致するように、振動を発生するための手段を含む、請求項１に記載のリモコン装置。
【請求項４】
前記リモコンは、振動回路付き携帯電話の一部である、請求項１から３のいずれかに記載のリモコン装置。
【発明の詳細な説明】
【技術分野】
【０００１】
本発明は、リモコン装置に関し、特に、動作が確認できるリモコン装置に関する。
【背景技術】
【０００２】
テレビなどの装置を操作するリモコン装置は、利便性を高めるため改良が進められている。たとえば、携帯電話に組込まれたリモコン装置が登場している。
【０００３】
そのようなリモコン装置において、操作性の向上は重要な課題である。たとえば、ボタンを押下げることによって特定のリモコン信号を送出する際、最も効率のよい操作を主体的に提案できるような工夫が凝らされている。
【０００４】
具体的には、特許文献１には、不適切な操作があった場合に、所定の報知を行なうリモコン装置が開示されている。
【０００５】
しかしながら、現状のリモコン装置には、押しボタンを操作しても、相手方の装置（たとえばテレビなど）が所定の反応をしなかった場合、リモコン装置の故障が原因か、リモコン装置の電池が消耗していることが原因か、相手方の装置の受信用の回路の不具合が原因か原因を判別することが難しいという問題がある。その問題は、リモコン装置から発光された赤外線を肉眼で確認できないことに原因がある。この問題を解決するため、一部のリモコン装置には、押しボタンを操作したときに、音を発生させるものがある。このリモコン装置の場合、リモコン装置の電池が消耗しているか否かを判別することはできる。しかしながら、このリモコン装置であっても、たとえば近辺に就寝している人がいたり、リモコンで操作したことを他人に認知されたくないといった、音を発生させたくない状況においては、使用できないという問題がある。
【特許文献１】特開２００２−１３５８６５号公報
【発明の開示】
【発明が解決しようとする課題】
【０００６】
本発明は上述の問題点を解決するためになされたものであって、その目的は、操作した場合に、静寂を保ったまま、リモコン信号が確実に送出されたことを認識できるリモコン装置を提供することである。
【課題を解決するための手段】
【０００７】
上記目的を達成するために、本発明のある局面に従うと、リモコン装置は、信号の出力に応じて振動を発生するための振動手段を含む。
【０００８】
すなわち、振動手段は、信号の出力に応じて振動を発生する。これにより、静寂を保ったまま、信号が送出されたことを認識できる。その結果、操作した場合に、静寂を保ったまま、リモコン信号が確実に送出されたことを認識できるリモコン装置を提供できる。
【０００９】
また、上述の振動手段は、振動を発生する期間が、信号が出力される期間に応じて定められるように、振動を発生するための手段を含むことが望ましい。
【００１０】
すなわち、振動手段は、信号が出力される期間に応じて定められた期間に振動を発生できる。これにより、信号が出力されたことがより的確に認識できる。その結果、操作した場合に、静寂を保ったまま、リモコン信号が確実に送出されたことを、より的確に認識できるリモコン装置を提供することができる。
【００１１】
また、上述の振動手段は、振動を発生する期間が、信号が出力される期間に合致するように、振動を発生するための手段を含むことが望ましい。
【００１２】
すなわち、振動手段は、信号が出力される期間に合致するように振動を発生できる。これにより、信号が出力されたことをさらに的確に認識できる。その結果、操作した場合に、静寂を保ったまま、リモコン信号が確実に送出されたことを、さらに的確に認識できるリモコン装置を提供することができる。
【００１３】
もしくは、上述のリモコン装置は、振動回路付き携帯電話の一部であることが望ましい。
【００１４】
すなわち、リモコン装置は、振動回路付き携帯電話の一部である。これにより、リモコン装置は、携帯電話の振動回路を利用して、振動を発生することができる。その結果、操作した場合に、静寂を保ったまま、リモコン信号が確実に送出されたことを認識できる、より便利なリモコン装置を提供することができる。
【発明の効果】
【００１５】
本発明のリモコン装置は、操作した場合に、静寂を保ったまま、リモコン信号が確実に送出されたことを認識できる。
【発明を実施するための最良の形態】
【００１６】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１７】
図１を参照して、本実施の形態に係るリモコン装置１０は、キー入力部１２と、振動回路１４と、発光回路１６とを含む。キー入力部１２は、ユーザによるキー入力を受付けて、信号に変換する。振動回路１４は、信号を振動に変換する。発光回路１６は、信号を赤外線に変換する。なお、「リモコン装置」とは、離れたところから機械や装置の運転・制御を行なうための無線通信装置をいう。
【００１８】
図２を参照して、キー入力部１２は、キーマトリックス２２と、キーデコーダ２４と、信号発生器２６とを含む。キーマトリックス２２は、ユーザが押したキーに応じた信号をキーデコーダ２４に出力する。キーデコーダ２４は、キーマトリックス２２から入力された信号をもとに、どのキーが押下されているか検知する。キーデコーダ２４は、リモコン装置１０の各部を制御する装置でもある。キーデコーダ２４は、キーマトリックス２２の押下されたボタンに応じた信号を信号発生器２６に出力する回路でもある。信号発生器２６は、キーデコーダ２４から入力された信号に基づいて、特定のリモコン用の制御信号を発生させる。
【００１９】
図３を参照して、リモコン装置１０で実行される制御は、振動の発生に関し、以下のような制御構造を有する。
【００２０】
まず、ステップ１００（以下、ステップをＳと略す。）にて、キーデコーダ２４は、キーマトリックス２２のキーが押されたことを検出する。Ｓ１０２にて、キーデコーダ２４は、信号発生器２６に、押されたキーに応じた信号を出力する。Ｓ１０４にて、信号発生器２６は、キーデコーダ２４から出力された信号に応じた、リモコン用の制御信号を出力する。Ｓ１０６にて、発光回路１６は、信号発生器２６から出力された信号を赤外線に変換する。Ｓ１０８にて、振動回路１４は、信号発生器２６から出力された信号を振動に変換する。信号発生器２６は、制御信号を振動回路１４および発光回路１６に同時に出力する。これにより、このステップは、Ｓ１０６と同時に実行される。
【００２１】
以上のような構造およびフローチャートに基づく、リモコン装置１０の動作について説明する。
【００２２】
ユーザが、キーマトリックス２２のキーを操作すると、キーデコーダ２４は、キーが押されたことを検出する（Ｓ１００）。キーが押されたことが検出されると、キーデコーダ２４は、信号発生器２６に、押されたキーに応じた信号を出力する（Ｓ１０２）。信号が出力されると、信号発生器２６は、キーデコーダ２４から出力された信号に応じた、リモコン用の制御信号を出力する（Ｓ１０４）。リモコン用の制御信号が出力されると、発光回路１６は、信号発生器２６から出力された信号を赤外線に変換する（Ｓ１０６）。同時に、振動回路１４は、信号発生器２６から出力された信号を振動に変換する（Ｓ１０８）。これにより、信号発生器２６が発生する制御用信号が、発光回路１６と振動回路１４とに同時に供給されるため、リモコン送出信号の発光期間と同期してバイブレータが振動する。よってリモコン送出信号がリモコン装置１０から発光されたことを、リモコン装置１０のユーザは振動により確実に認識できる。
【００２３】
以上のようにして、本実施の形態に係るリモコン装置は、リモコン信号が送出されたことを、リモコン装置の振動により認識できる。その際、リモコン装置には、スピーカなどが設けられていないので、リモコン操作の確認音が発生しない。これにより、静寂な状態でのリモコン動作が必要な場合にも問題なく本実施の形態に係るリモコン装置を使用することができる。その結果、操作した場合に、静寂を保ったまま、リモコン信号が確実に送出されたことを認識できるリモコン装置を提供することができる。
【００２４】
なお、赤外線が発生する期間と、振動が発生する期間とは、必ずしも合致しなくてもよい。たとえば、リモコン装置は、赤外線の発光が終了した直後に振動を開始させるが、赤外線が発生する期間の長さと振動が発生する期間の長さとが一致するものであってもよい。リモコン装置は、振動が発生する期間の長さが、赤外線が発生する期間の長さに比例するものであってもよい。このように、振動を発生する期間は、信号が出力される期間に応じて定められるものであってもよい。
【００２５】
あるいは、振動を発生する期間が、必ずしも信号が出力される期間に応じて定められなくてよい。たとえば、振動を発生する期間は、出力される信号の種類に応じて定められてもよい。あるいは、振動を発生する期間の長さは、押されたキーに応じて定められてもよい。
【００２６】
また、リモコン装置は、必ずしも単体のリモコン装置である必要はない。たとえば、振動回路付き携帯電話の一部であってもよい。その場合、リモコン装置の回路は、振動回路付き携帯電話のキーマトリックスや振動回路を利用できる。すなわち、リモコン制御信号を振動回路に提供する構成とすることにより、本実施の形態に係るリモコン装置と同様の効果を得ることができる。
【００２７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００２８】
【図１】本発明の実施の形態に係るリモコン装置の外形を示す図である。
【図２】本発明の実施の形態に係る内部構成を示すブロック図である。
【図３】本発明の実施の形態に係る振動処理の制御の手順を示すフローチャートである。
【符号の説明】
【００２９】
１０  リモコン装置、１２  キー入力部、１４  振動回路、１６  発光回路、２２  キーマトリックス、２４  キーデコーダ、２６  信号発生器。
【図１】
2005079992.tif 000003
【図２】
2005079992.tif 000004
【図３】
2005079992.tif 000005